(57)【要約】【課題】遊技客や店員の視界を広げ遊技状況を把握し易くするため、島高（床から天井板）を低くした複数のスロットマシンを備えた遊技設備を提供する。【解決手段】紙幣搬送装置１５を天井板１４の高さより低くなるように、複数のスロットマシン１０の背面に設ける。また、天井板１４の高さより低い位置で、台間メダル貸機１１とスロットマシン１０の間に呼び出しランプ２１２又は遊技データ表示器２１３を設ける。さらに、呼び出しランプ２１２又は遊技データ表示器２１３は備品収納ボックス２０に出し入れ可能なように設ける。【選択図】  図１
2006218161.tif 000002
【特許請求の範囲】
【請求項１】
複数のスロットマシンと、隣接するスロットマシン間に配置された複数の台間メダル貸機と、前記台間メダル貸機に投入される紙幣を搬送する紙幣搬送装置と、前記複数のスロットマシン及び前記複数の台間メダル貸機の上に配置された天井板とを備え、前記紙幣搬送装置を前記天井板の高さより低くなるように、前記複数の遊技機の背面に配置したことを特徴とする遊技設備。
【請求項２】
前記台間メダル貸機と前記スロットマシンとの間であって、前記天井板の高さより低い位置に、呼び出しランプ又は遊技データ表示器を配置したことを特徴とする請求項１に記載の遊技設備。
【請求項３】
前記呼び出しランプ又は前記遊技データ表示器は、前記台間メダル貸機と前記スロットマシンとの間に挿入された備品収納ボックスに出し入れ可能であることを特徴とする請求項２に記載の遊技設備。
【請求項４】
前記天井板は部分的に取り外しが可能であり、この天井板が部分的に取り外された部分の下方に前記紙幣搬送装置が配置されたことを特徴とする請求項１に記載の遊技設備。
【請求項５】
前記紙幣搬送装置は、紙幣を一対の無端ベルト間に挟持して搬送する複数の紙幣搬送ユニットを備え、前記紙幣搬送ユニットの天井に紙幣取り出し用のスリットが形成されていることを特徴とする請求項４に記載の遊技設備。
【発明の詳細な説明】
【技術分野】
【０００１】
本発明は、複数のスロットマシンを備えた遊技設備に関する。
【背景技術】
【０００２】
図５は、パチンコホール等の遊技店舗に設置されている遊戯設備の正面図である。複数のスロットマシン５０が並設されており、隣接するスロットマシン５０，５０の間には、スロットマシン５０に投入するメダルを貸し出す台間メダル貸機５１が配置されている。これらのスロットマシン５０と台間メダル貸機５１は、設置台５２の上に腰板５３を介して設置されている。床から腰板５３までの高さは、遊技客が腰掛ける椅子の高さとほぼ同じになるように設定されている。
【０００３】
スロットマシン５０と台間メダル貸機５１の上面には紙幣搬送装置５４を収納したパネル５５が取り付けられている。また、台間メダル貸機５１の上方に、ビルバリー（紙幣識別装置）５６が配置されており、その紙幣投入口５６Ａから投入された紙幣は、紙幣搬送装置５４によって、島端の妻板５７の外面に取り付けられた紙幣収納ボックス５８まで搬送され、収納される。
【０００４】
また、パネル５５の上面には遊技客が遊技店舗の店員を呼び出すために使う呼び出しランプ５９、スロットマシン５０の各種遊技データ（例えば、払い出し差枚数やスタート、大当たり、確変、確変継続回数などの個人遊技データ、あるいは、過去の実績データ（例えば、過去の大当たり回数））を表示する遊技データ表示器６０がスロットマシン５０毎に１個ずつ配置されている。
【特許文献１】特開２００１−１８４４７０号公報
【発明の開示】
【発明が解決しようとする課題】
【０００５】
しかしながら、上述した従来の遊技設備では、図５の島高ｈ１（床からパネル５５の上面までの高さ）、妻板５７の高さｈ２が高いために視界が遮られて、遊技客や店員にとって店舗内の他の島のスロットマシン５０の遊技状況を把握しにくいという不都合があった。また、呼び出しランプ５９、遊技データ表示器６０は島の最も高い位置に置かれているので、これも遊技客や店員の視界を遮っていた。
【課題を解決するための手段】
【０００６】
本発明の遊戯設備は、上述した従来技術の課題に鑑みてなされたものであり、複数のスロットマシンと、隣接するスロットマシン間に配置された複数の台間メダル貸機と、台間メダル貸機に投入される紙幣を搬送する紙幣搬送装置と、複数のスロットマシン及び複数の台間メダル貸機の上に配置された天井板とを備え、紙幣搬送装置を天井板の高さより低くなるように、複数のスロットマシンの背面に配置したことを特徴とするものである。本発明によれば、島高（床から天井板）を低くすることができるので、遊技客や店員の視界が広がり、他の島のスロットマシンの遊技状況を把握し易くなる。
【０００７】
また、上記の点に加えて、台間メダル貸機とスロットマシンとの間であって、天井板の高さより低い位置に、呼び出しランプ又は遊技データ表示器を配置したものである。これにより、呼び出しランプや遊技データ表示器は、島高より低い位置に配置されるので、これらの備品によって遊技客や店員の視界が遮られることが防止される。
【０００８】
さらに、上記の点に加えて、呼び出しランプ又は遊技データ表示器は、台間メダル貸機とスロットマシンとの間に挿入された備品収納ボックスに出し入れ可能であることを特徴とする。これにより、スロットマシンの前面の扉を開けるときには呼び出しランプ又は遊技データ表示器を備品収納ボックス内に収納することにより、扉が呼び出しランプ又は遊技データ表示器にぶつかることを防止することができる。
【発明の効果】
【０００９】
本発明によれば、遊技客や店員の視界が広がり、遊技店舗内の他の島のスロットマシンの遊技状況を把握し易くなるという効果を奏する。
【発明を実施するための最良の形態】
【００１０】
次に、本発明の実施形態について図面を参照しながら説明する。図１は本発明の遊戯設備の正面図、図２はその上面図、図３はその斜視図である。なお、図３においては、スロットマシンの図示は省略されている。
【００１１】
複数のスロットマシン１０が並設されており、隣接するスロットマシン１０，１０の間には、スロットマシン１０に投入するメダルを貸し出す台間メダル貸機１１が配置されている。これらのスロットマシン１０と台間メダル貸機１１は、設置台１２の上に腰板１３を介して設置されている。床から腰板１３までの高さは、遊技客が腰掛ける椅子の高さとほぼ同じになるように設定されている。スロットマシン１０と台間メダル貸機１１の上には天井板１４が載せられている。
【００１２】
紙幣搬送装置１５は、遊戯設備が設置されている床から天井板１４までの高さより低い位置になるように、スロットマシン１０の背面に配置されている。紙幣搬送装置１５は相互に連結して紙幣搬送経路を形成する複数の紙幣搬送ユニット１５Ａを備えている。これらの紙幣搬送ユニット１５Ａは支持板１６によって台間メダル貸機１１に連結され、支持されている。
【００１３】
台間メダル貸機１１の上方に、ビルバリー１１Ａが配置されており、その紙幣投入口１１Ｂから投入された紙幣は、紙幣搬送装置１５によって、島端の妻板１７の外面に取り付けられた紙幣収納ボックス１８まで搬送され、収納される。
【００１４】
以上の構成によれば、島高ｈ１（床から天井板１４）は１３５０ｍｍ程度、妻板５７の高さｈ２は１４００ｍｍ程度、と従来に比べて相当低くすることができるので、遊技客や店員の視界が広がり、他の島のスロットマシンの遊技状況を把握し易くなる。
【００１５】
また、台間メダル貸機１１と隣のスロットマシン１０の間には備品収納ボックス２０が挿入されている。この備品収納ボックス２０の上部には備品取り付け台２１１が備品収納ボックス２０内に出し入れ可能に取り付けられ、この備品取り付け台２１１の上に前述した呼び出しランプ２１２と遊技データ表示器２１３のような備品が取り付けられている。これらの備品は、天井板１４の高さより低い位置に配置されているので、これらの備品によって遊技客や店員の視界が遮られることが防止される。
【００１６】
また、これらの備品は、備品収納ボックス２０内に出し入れ可能であるため、点検、調整や修理のためにスロットマシン１０の前面の扉を開けるときには、呼び出しランプ２１２、遊技データ表示器２１３を備品収納ボックス２０内に収納することにより、扉が呼び出しランプ２１２や遊技データ表示器２１３にぶつかることを防止することができる。
【００１７】
上述の遊戯設備では、紙幣搬送装置１５は、スロットマシン１０の背面に配置されているので、紙幣詰まりが発生した時には、詰まった紙幣を取り出しにくい。そこで、以下の構成を採用することで、詰まった紙幣の取り出しを容易にした。
【００１８】
図４に示すように、天井板１４の一部の板片１４Ａは取り外し可能であり、板片１４Ａが取り外された部分にできる開口部１４Ｘの下方に紙幣搬送ユニット１５Ａが配置されている。紙幣搬送ユニット１５Ａは紙幣Ｓをプーリ１５１によって回転駆動される一対の無端ベルト１５２の間に挟持して搬送される。紙幣搬送ユニット１５Ａのフレームの天井に紙幣取り出し用のスリット１５Ｘが形成されている。したがって、紙幣搬送ユニット１５Ａ内で紙幣詰まりが発生した場合には、作業者は板片１４Ａを取り外し、開口部１４Ｘを通して、スリット１５Ｘから紙幣搬送ユニット１５Ａ内に手を差し入れて、詰まった紙幣Ｓを容易に取り出すことができる。
【図面の簡単な説明】
【００１９】
【図１】本発明の実施形態に係る遊戯設備の正面図である。
【図２】本発明の実施形態に係る遊戯設備の上面図である。
【図３】本発明の実施形態に係る遊戯設備の斜視図である。
【図４】本発明の実施形態に係る遊戯設備の一部の斜視図である。
【図５】従来例の遊戯設備の正面図である。
【符号の説明】
【００２０】
１０    スロットマシン
１１    メダル貸機
１１Ａ  ビルバリー
１１Ｂ  紙幣投入口
１２    設置台
１３    腰板
１４    天井板
１４Ａ  板片
１４Ｘ  開口部
１５    紙幣搬送装置
１５Ａ  紙幣搬送ユニット
１５Ｘ  スリット
１５１  プーリ
１５２  無端ベルト
１６    支持板
１７    妻板
１８    紙幣収納ボックス
２０    備品収納ボックス
２１１  備品取付け台
２１２  呼び出しランプ
２１３  遊技データ表示器
５０    スロットマシン
５１    メダル貸機
５２    設置台
５３    腰板
５４    紙幣搬送装置
５５    パネル
５６    ビルバリー
５６Ａ  紙幣投入口
５７    妻板
５８    紙幣収納ボックス
５９    呼び出しランプ
６０    遊技データ表示器
【図１】
2006218161.tif 000003
【図２】
2006218161.tif 000004
【図３】
2006218161.tif 000005
【図４】
2006218161.tif 000006
【図５】
2006218161.tif 000007